【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
バイノーラル音声レンダリングの方法であって、
複数のスピーカーフィードとして音場をレンダリングするために、複数の不規則なバイノーラル室内インパルス応答（ＢＲＩＲ）フィルタを高次アンビソニックス係数に適用することを備え、ここにおいて、
前記高次アンビソニックス係数が、３次元の前記音場を表し、
前記複数の不規則なＢＲＩＲフィルタの各それぞれの不規則なＢＲＩＲフィルタが、複数の仮想ラウドスピーカーのそれぞれの仮想ラウドスピーカーのインパルス位置において生成されたインパルスに対する応答を表し、
前記複数の仮想ラウドスピーカーが、均等に離間されない、方法。
【請求項２】
前記高次アンビソニックス係数は高次アンビソニックス係数の第１のセットであり、前記音場は第１の音場であり、前記複数の仮想ラウドスピーカーは第１の複数の仮想ラウドスピーカーであり、前記方法は、
複数の規則的なＢＲＩＲフィルタの使用を指定するユーザ設定データを受信することに応答して、および前記複数の不規則なＢＲＩＲフィルタを高次アンビソニックス係数の前記第１のセットに適用することに後続して、第２の音場をレンダリングするために、前記複数の規則的なＢＲＩＲフィルタを高次アンビソニックス係数の第２のセットに適用することをさらに備え、
前記複数の規則的なＢＲＩＲフィルタの各それぞれの規則的なＢＲＩＲフィルタが、第２の複数の仮想ラウドスピーカーのそれぞれの仮想ラウドスピーカーのインパルス位置において生成されたインパルスに対する応答を表し、
前記第２の複数の仮想ラウドスピーカーが、均等に離間される、請求項１に記載の方法。
【請求項３】
前記複数の不規則なＢＲＩＲフィルタを前記高次アンビソニックス係数に適用することが、左および右の修正された高次アンビソニックス係数を生成し、前記複数のスピーカーフィードが第１の周波数領域スピーカーフィードおよび第２の周波数領域スピーカーフィードを含み、前記方法が、
前記第１の周波数領域スピーカーフィードを生成するために、第１の修正された高次アンビソニックス係数を、前記高次アンビソニックス係数と関連付けられた次数および副次数の数にわたって合計すること、前記第１の修正された高次アンビソニックス係数が、前記左の修正された高次アンビソニックス係数または前記右の修正された高次アンビソニックス係数のいずれかを備える、と、
反転された高次アンビソニックス係数を生成するために、負の副次数と関連付けられた前記第１の修正された高次アンビソニックス係数の高次アンビソニックス係数を反転することと、
前記第２の周波数領域スピーカーフィードを生成するために、前記反転された高次アンビソニックス係数を次数および副次数の前記数にわたって合計することと、
をさらに備える、請求項１に記載の方法。
【請求項４】
前記高次アンビソニックス係数が対応する球面基底関数の次数が、１より大である、請求項１に記載の方法。
【請求項５】
スピーカーの規則的な配列に関する１つまたは複数の規則的なＢＲＩＲフィルタを生成するために、前記複数の不規則なＢＲＩＲフィルタを内挿することをさらに備え、
ここにおいて、前記複数の不規則なＢＲＩＲフィルタを適用することが、前記音場をレンダリングするために前記複数の規則的なＢＲＩＲフィルタを前記高次アンビソニックス係数に適用することを備える、請求項１に記載の方法。
【請求項６】
ウィンドウ処理されたＢＲＩＲフィルタを生成するために、ウィンドウ処理関数を前記複数の不規則なＢＲＩＲフィルタに適用することをさらに備え、
ここにおいて、前記複数の不規則なＢＲＩＲフィルタを適用することが、前記音場をレンダリングするために前記ウィンドウ処理されたＢＲＩＲフィルタを前記高次アンビソニックス係数に適用することを備える、請求項１に記載の方法。
【請求項７】
変換された不規則なＢＲＩＲフィルタを生成するために、前記複数の不規則なＢＲＩＲフィルタを時間領域から周波数領域に変換することをさらに備え、
ここにおいて、前記複数の不規則なＢＲＩＲフィルタを適用することが、前記音場をレンダリングするために前記変換された不規則なＢＲＩＲフィルタを前記高次アンビソニックス係数に適用することを備える、請求項１に記載の方法。
【請求項８】
変換されたＢＲＩＲフィルタを生成するために、前記複数の不規則なフィルタを時間領域から周波数領域に変換することと、
変換された高次アンビソニックス係数を生成するために、前記高次アンビソニックス係数を前記時間領域から前記周波数領域に変換することと、
をさらに備え、
ここにおいて、前記複数の不規則なＢＲＩＲフィルタを適用することが、前記音場の周波数領域表現をレンダリングするために、前記変換された不規則なＢＲＩＲフィルタを前記変換された高次アンビソニックス係数に適用することを備え、
ここにおいて、前記方法が、前記音場をレンダリングするために、逆変換を前記音場の前記周波数領域表現に適用することをさらに備える、請求項１に記載の方法。
【請求項９】
前記複数の不規則なＢＲＩＲフィルタを適用することが、前記複数の不規則なＢＲＩＲフィルタを前記高次アンビソニックス係数に直接適用することを備える、請求項１に記載の方法。
【請求項１０】
前記複数の不規則なＢＲＩＲフィルタを適用することが、前記高次アンビソニックス係数と前記不規則なＢＲＩＲフィルタとを畳み込むことを備える、請求項１に記載の方法。
【請求項１１】
前記複数の不規則なＢＲＩＲフィルタを適用することが、前記スピーカーフィードとしての出力に関して前記音場をレンダリングするために畳み込みを集積することをさらに備え、前記畳み込みは、前記高次アンビソニックス係数と前記不規則なＢＲＩＲフィルタとを畳み込むことから得られる、請求項１０に記載の方法。
【請求項１２】
デバイスであって、
複数のスピーカーフィードとして音場をレンダリングするために、複数の不規則なバイノーラル室内インパルス応答（ＢＲＩＲ）フィルタを高次アンビソニックス係数に適用するように構成された１つまたは複数のプロセッサを備え、ここにおいて、
前記高次アンビソニックス係数が、３次元の前記音場を表し、
前記複数の不規則なＢＲＩＲフィルタの各それぞれの不規則なＢＲＩＲフィルタが、複数の仮想ラウドスピーカーのそれぞれの仮想ラウドスピーカーのインパルス位置において生成されたインパルスに対する応答を表し、
前記複数の仮想ラウドスピーカーが、均等に離間されない、デバイス。
【請求項１３】
前記高次アンビソニックス係数が高次アンビソニックス係数の第１のセットであり、前記音場が第１の音場であり、前記複数の仮想ラウドスピーカーが第１の複数の仮想ラウドスピーカーであり、前記１つまたは複数のプロセッサが、スピーカーの規則的な配列に関する複数の規則的なＢＲＩＲフィルタの使用を指定するユーザ設定データを受信することに応答して、第２の音場をレンダリングするために、前記複数の規則的なＢＲＩＲフィルタを高次アンビソニックス係数の第２のセットに適用するようにさらに構成され、
前記複数の規則的なＢＲＩＲフィルタの各それぞれの規則的なＢＲＩＲフィルタが、第２の複数の仮想ラウドスピーカーのそれぞれの仮想ラウドスピーカーのインパルス位置において生成されたインパルスに対する応答を表し、
前記第２の複数の仮想ラウドスピーカーが、均等に離間される、請求項１２に記載のデバイス。
【請求項１４】
前記１つまたは複数のプロセッサが、
左および右の修正された高次アンビソニックス係数を生成するために前記複数の不規則なＢＲＩＲフィルタを前記高次アンビソニックス係数に適用すること、前記複数のスピーカーフィードが第１の周波数領域スピーカーフィードおよび第２の周波数領域スピーカーフィードを含む、と、
前記第１の周波数領域スピーカーフィードを生成するために、第１の修正された高次アンビソニックス係数を、前記高次アンビソニックス係数と関連付けられた次数および副次数の数にわたって合計すること、前記第１の修正された高次アンビソニックス係数が、前記左の修正された高次アンビソニックス係数または前記右の修正された高次アンビソニックス係数のいずれかを備える、と、
反転された高次アンビソニックス係数を生成するために、負の副次数と関連付けられた前記第１の修正された高次アンビソニックス係数の高次アンビソニックス係数を反転することと、
前記第２の周波数領域スピーカーフィードを生成するために、前記反転された高次アンビソニックス係数を次数および副次数の前記数にわたって合計することと、
を行うようにさらに構成される、請求項１２に記載のデバイス。
【請求項１５】
前記高次アンビソニックス係数が対応する球面基底関数の次数が、１より大である、請求項１２に記載のデバイス。
【請求項１６】
前記１つまたは複数のプロセッサが、複数の規則的なＢＲＩＲフィルタを生成するために、前記複数の不規則なＢＲＩＲフィルタを内挿するようにさらに構成され、前記規則的なＢＲＩＲフィルタが、スピーカーの規則的な配列に関する複数のＢＲＩＲフィルタを備え、
前記１つまたは複数のプロセッサが、前記音場をレンダリングするために、前記複数の不規則なＢＲＩＲフィルタを適用するために、前記複数の規則的なＢＲＩＲフィルタを前記高次アンビソニックス係数に適用するようにさらに構成される、請求項１２に記載のデバイス。
【請求項１７】
前記１つまたは複数のプロセッサが、ウィンドウ処理されたＢＲＩＲフィルタを生成するために、ウィンドウ処理関数を前記複数の不規則なフィルタに適用するようにさらに構成され、
前記１つまたは複数のプロセッサが、前記音場をレンダリングするために、前記複数の不規則なＢＲＩＲフィルタを適用するとき、前記ウィンドウ処理されたＢＲＩＲフィルタを前記高次アンビソニックス係数に適用するようにさらに構成される、請求項１２に記載のデバイス。
【請求項１８】
前記１つまたは複数のプロセッサが、変換された不規則なＢＲＩＲフィルタを生成するために、前記複数の不規則なＢＲＩＲフィルタを時間領域から周波数領域に変換するようにさらに構成され、
前記１つまたは複数のプロセッサが、前記音場をレンダリングするために、前記複数の不規則なＢＲＩＲフィルタを適用するとき、前記変換された不規則なＢＲＩＲフィルタを前記高次アンビソニックス係数に適用するようにさらに構成される、請求項１２に記載のデバイス。
【請求項１９】
前記１つまたは複数のプロセッサが、変換された不規則なＢＲＩＲフィルタを生成するために、前記複数の不規則なＢＲＩＲフィルタを時間領域から周波数領域に変換することと、変換された前記高次アンビソニックス係数を生成するために、前記高次アンビソニックス係数を前記時間領域から前記周波数領域に変換することと、を行うようにさらに構成され、
前記１つまたは複数のプロセッサが、前記音場の周波数領域表現をレンダリングするために、前記複数の不規則なＢＲＩＲフィルタを適用するとき、前記変換された不規則なＢＲＩＲフィルタを前記変換された高次アンビソニックス係数に適用するようにさらに構成され、
前記１つまたは複数のプロセッサが、前記音場をレンダリングするために、逆変換を前記音場の前記周波数領域表現に適用するようにさらに構成される、請求項１２に記載のデバイス。
【請求項２０】
前記１つまたは複数のプロセッサが、前記複数の不規則なＢＲＩＲフィルタを適用するとき、前記複数の不規則なＢＲＩＲフィルタを前記高次アンビソニックス係数に直接適用するようにさらに構成される、請求項１２に記載のデバイス。
【請求項２１】
前記１つまたは複数のプロセッサは、前記複数の不規則なＢＲＩＲフィルタを適用する部分として、前記１つまたは複数のプロセッサが前記高次アンビソニックス係数と前記不規則なＢＲＩＲフィルタとを畳み込むように構成される、請求項１２に記載のデバイス。
【請求項２２】
前記１つまたは複数のプロセッサは、前記複数の不規則なＢＲＩＲフィルタを適用する部分として、前記１つまたは複数のプロセッサが前記スピーカーフィードとしての出力に関して前記音場をレンダリングするために畳み込みを集積するように構成され、前記畳み込みは、前記高次アンビソニックス係数と前記不規則なＢＲＩＲフィルタとを畳み込むことから得られる、請求項２１に記載のデバイス。
【請求項２３】
装置であって、
３次元の音場を表す高次アンビソニックス係数を決定するための手段と、
複数のスピーカーフィードとして前記音場をレンダリングするために、複数の不規則なバイノーラル室内インパルス応答（ＢＲＩＲ）フィルタを、前記高次アンビソニックス係数に適用するための手段と、
を備え、ここにおいて、
前記複数の不規則なＢＲＩＲフィルタの各それぞれの不規則なＢＲＩＲフィルタが、複数の仮想ラウドスピーカーのそれぞれの仮想ラウドスピーカーのインパルス位置において生成されたインパルスに対する応答を表し、
前記複数の仮想ラウドスピーカーが、均等に離間されない、装置。
【請求項２４】
前記高次アンビソニックス係数が高次アンビソニックス係数の第１のセットであり、前記音場が第１の音場であり、前記複数の仮想ラウドスピーカーが第１の複数の仮想ラウドスピーカーであり、前記装置が、
複数の規則的なＢＲＩＲフィルタの使用を指定するユーザ設定データを受信するための手段と、
第２の音場をレンダリングするために、前記複数の規則的なＢＲＩＲフィルタを高次アンビソニックス係数の第２のセットに適用するための手段と、
をさらに備え、
前記複数の規則的なＢＲＩＲフィルタの各それぞれの規則的なＢＲＩＲフィルタが、第２の複数の仮想ラウドスピーカーのそれぞれの仮想ラウドスピーカーのインパルス位置において生成されたインパルスに対する応答を表し、
前記第２の複数の仮想ラウドスピーカーが、均等に離間される、請求項２３に記載の装置。
【請求項２５】
前記複数の不規則なＢＲＩＲフィルタを前記高次アンビソニックス係数に適用するための前記手段が、左および右の修正された高次アンビソニックス係数を生成し、前記複数のスピーカーフィードが第１の周波数領域スピーカーフィードおよび第２の周波数領域スピーカーフィードを含み、前記装置が、
前記第１の周波数領域スピーカーフィードを生成するために、第１の修正された高次アンビソニックス係数を、前記高次アンビソニックス係数と関連付けられた次数および副次数の数にわたって合計するための手段、前記第１の修正された高次アンビソニックス係数が、前記左の修正された高次アンビソニックス係数または前記右の修正された高次アンビソニックス係数のいずれかを備える、と、
反転された高次アンビソニックス係数を生成するために、負の副次数と関連付けられた前記第１の修正された高次アンビソニックス係数の高次アンビソニックス係数を反転するための手段と、
前記第２の周波数領域スピーカーフィードを生成するために、前記反転された高次アンビソニックス係数を次数および副次数の前記数にわたって合計するための手段と、
をさらに備える、請求項２３記載の装置。
【請求項２６】
前記高次アンビソニックス係数が対応する球面基底関数の次数が、１より大である、請求項２３に記載の装置。
【請求項２７】
複数の規則的なＢＲＩＲフィルタを生成するために、前記複数の不規則なＢＲＩＲフィルタを内挿するための手段をさらに備え、ここにおいて、前記複数の規則的なＢＲＩＲフィルタが、スピーカーの規則的な配列に関する複数のＢＲＩＲフィルタを備え、
ここにおいて、前記複数の不規則なＢＲＩＲフィルタを適用するための前記手段が、前記音場をレンダリングするために前記複数の規則的なＢＲＩＲフィルタを前記高次アンビソニックス係数に適用するための手段を備える、請求項２３に記載の装置。
【請求項２８】
ウィンドウ処理されたＢＲＩＲフィルタを生成するために、ウィンドウ処理関数を前記複数の不規則なＢＲＩＲフィルタに適用するための手段をさらに備え、
前記複数の不規則なＢＲＩＲフィルタを適用するための前記手段が、前記音場をレンダリングするために前記ウィンドウ処理されたＢＲＩＲフィルタを前記高次アンビソニックス係数に適用するための手段を備える、請求項２３に記載の装置。
【請求項２９】
変換されたＢＲＩＲフィルタを生成するために、前記複数の不規則なＢＲＩＲフィルタを時間領域から周波数領域に変換するための手段をさらに備え、
ここにおいて、前記複数の不規則なＢＲＩＲフィルタを適用するための前記手段が、前記音場をレンダリングするために前記変換された不規則なＢＲＩＲフィルタを前記高次アンビソニックス係数に適用するための手段を備える、請求項２３に記載の装置。
【請求項３０】
変換された不規則なＢＲＩＲフィルタを生成するために、前記複数の不規則なＢＲＩＲフィルタを時間領域から周波数領域に変換するための手段と、
変換された高次アンビソニックス係数を生成するために、前記高次アンビソニックス係数を前記時間領域から前記周波数領域に変換するための手段と、
をさらに備え、
ここにおいて、前記複数の不規則なＢＲＩＲフィルタを適用するための前記手段が、前記音場の周波数領域表現をレンダリングするために、前記変換された不規則なＢＲＩＲフィルタを前記変換された高次アンビソニックス係数に適用するための手段を備え、
ここにおいて、前記装置が、前記音場をレンダリングするために、逆変換を前記音場の前記周波数領域表現に適用するための手段をさらに備える、請求項２３に記載の装置。
【請求項３１】
命令をその上に記憶した、非一時的コンピュータ可読記憶媒体であって、前記命令は、実行されると、１つまたは複数のプロセッサに、
複数のスピーカーフィードとして音場をレンダリングするために、複数の不規則なバイノーラル室内インパルス応答（ＢＲＩＲ）フィルタを高次アンビソニックス係数に適用させる、ここにおいて、
前記高次アンビソニックス係数が、３次元の前記音場を表し、
前記複数の不規則なＢＲＩＲフィルタの各それぞれの不規則なＢＲＩＲフィルタが、複数の仮想ラウドスピーカーのそれぞれの仮想ラウドスピーカーのインパルス位置において生成されたインパルスに対する応答を表し、
前記複数の仮想ラウドスピーカーが、均等に離間されない、
非一時的コンピュータ可読記憶媒体。